(57)【要約】【課題】従来技術においては、例えば、ホールドア位置の調整作業をより効率的に行うことが望まれている。【解決手段】実施形態の偏心軸ローラー調整治具は、エレベータのホールドアのローラーの偏心軸を軸周りに回転させることで当該ローラーの鉛直方向の位置を調整し前記ホールドアの鉛直方向の位置を調整する偏心軸ローラー調整治具である。この偏心軸ローラー調整治具は、棒状に形成され、前記偏心軸の端面に形成された直線溝に嵌合する直線状先端部を有する本体部と、棒状に形成され、中央部に前記本体部の前記直線状先端部とは反対側の基端部が接続される持ち手部とを備えることを特徴とする。【選択図】図１
2015168547.tif 000002
【特許請求の範囲】
【請求項１】
エレベータのホールドアのローラーの偏心軸を軸周りに回転させることで当該ローラーの鉛直方向の位置を調整し前記ホールドアの鉛直方向の位置を調整する偏心軸ローラー調整治具であって、
棒状に形成され、前記偏心軸の端面に形成された直線溝に嵌合する直線状先端部を有する本体部と、
棒状に形成され、中央部に前記本体部の前記直線状先端部とは反対側の基端部が接続される持ち手部とを備えることを特徴とする、
偏心軸ローラー調整治具。
【請求項２】
前記本体部と前記持ち手部とは、直交する、
請求項１に記載の偏心軸ローラー調整治具。
【請求項３】
エレベータのホールドアの鉛直方向の位置を調整するドア位置調整方法であって、
請求項１又は請求項２に記載の偏心軸ローラー調整治具を用いて、前記ホールドアのローラーであって前記ホールドアのハンガーレールの鉛直方向下側の面である下側転動面に接触して転動可能であるエキセントリックローラーの偏心軸を軸周りに回転させ、当該エキセントリックローラーと前記下側転動面との隙間が広くなるように当該エキセントリックローラーの鉛直方向の位置を調整する第１調整工程と、
前記第１調整工程の後に、前記偏心軸ローラー調整治具を用いて、前記ホールドアのローラーであって前記ホールドアのハンガーレールの鉛直方向上側の面である上側転動面に載置されて転動可能であるハンガーローラーの偏心軸を軸周りに回転させ、当該ハンガーローラーの鉛直方向の位置を調整することで前記ホールドアの鉛直方向の位置を調整する第２調整工程と、
前記第２調整工程の後に、前記偏心軸ローラー調整治具を用いて、前記エキセントリックローラーの偏心軸を軸周りに回転させ、当該エキセントリックローラーと前記下側転動面との隙間が狭くなるように当該エキセントリックローラーの鉛直方向の位置を調整する第３調整工程とを含むことを特徴とする、
ドア位置調整方法。
【発明の詳細な説明】
【技術分野】
【０００１】
本発明の実施形態は、偏心軸ローラー調整治具、及び、ドア位置調整方法に関する。
【背景技術】
【０００２】
従来、エレベータは、昇降路内を乗りかごが移動することにより、乗りかごを任意の階床に移動させる。このようなエレベータでは、例えば、種々の調整治具を用いて乗り場に設けられるホールドアの鉛直方向位置を調整する場合がある。
【先行技術文献】
【特許文献】
【０００３】
【特許文献１】特開平０８−０７１９４３号公報
【発明の概要】
【発明が解決しようとする課題】
【０００４】
ところで、従来技術においては、例えば、ホールドア位置の調整作業をより効率的に行うことが望まれている。
【課題を解決するための手段】
【０００５】
実施形態の偏心軸ローラー調整治具は、エレベータのホールドアのローラーの偏心軸を軸周りに回転させることで当該ローラーの鉛直方向の位置を調整し前記ホールドアの鉛直方向の位置を調整する偏心軸ローラー調整治具である。この偏心軸ローラー調整治具は、棒状に形成され、前記偏心軸の端面に形成された直線溝に嵌合する直線状先端部を有する本体部と、棒状に形成され、中央部に前記本体部の前記直線状先端部とは反対側の基端部が接続される持ち手部とを備えることを特徴とする。
【図面の簡単な説明】
【０００６】
【図１】図１は、実施形態に係る偏心軸ローラー調整治具の概略構成を表す斜視図である。
【図２】図２は、実施形態に係る偏心軸ローラー調整治具の適用例を表す模式的な斜視図である。
【図３】図３は、実施形態に係る偏心軸ローラー調整治具の適用例を表す模式的な部分斜視図である。
【図４】図４は、実施形態に係る偏心軸ローラー調整治具が適用されるエレベータの概略構成例を示すブロック図である。
【図５】図５は、実施形態に係る偏心軸ローラー調整治具を用いたドア位置調整方法を説明するフローチャートである。
【発明を実施するための形態】
【０００７】
［実施形態］
図１は、実施形態に係る偏心軸ローラー調整治具の概略構成を表す斜視図である。図２は、実施形態に係る偏心軸ローラー調整治具の適用例を表す模式的な斜視図である。図３は、実施形態に係る偏心軸ローラー調整治具の適用例を表す模式的な部分斜視図である。図４は、実施形態に係る偏心軸ローラー調整治具が適用されるエレベータの概略構成例を示すブロック図である。図５は、実施形態に係る偏心軸ローラー調整治具を用いたドア位置調整方法を説明するフローチャートである。
【０００８】
図１、図２、図３に示す本実施形態に係る偏心軸ローラー調整治具１００は、エレベータ１のホールドア１２ａのローラー（ハンガーローラー１２ｅ、エキセントリックローラー１２ｆ）の偏心軸１２ｇを軸周りに回転させることで当該ローラーの鉛直方向の位置を調整しホールドア１２ａの鉛直方向の位置を調整するための治具である。
【０００９】
ここで、本実施形態の偏心軸ローラー調整治具１００は、図４に示すようなエレベータ１に適用される。エレベータ１は、乗りかご２が昇降路７内を昇降することで任意の目的階の乗場６に移動することができるものである。エレベータ１は、乗りかご２、カウンタウェイト３、メインロープ４、巻上機５、制御装置（制御盤）１０等を含んで構成される。エレベータ１は、乗りかご２とカウンタウェイト３とをメインロープ４で連結したいわゆるつるべ式のエレベータである。エレベータ１は、乗場６が設けられる。
【００１０】
乗りかご２は、かご操作盤８等を含んで構成され、建物に設けられた昇降路７を昇降可能である。かご操作盤８は、利用者による操作入力に応じていわゆるかご呼び登録等を行う。メインロープ４は、巻上機５のメインシーブ５ａやそらせシーブ５ｂ等に掛けられる。メインロープ４は、一端に乗りかご２が接続され、他端にカウンタウェイト３が接続される。巻上機５は、例えば、動力を発生させる電動機（モータ）５ｃを有する。巻上機５は、電動機５ｃが駆動することで、この電動機５ｃに連結されたメインシーブ５ａが回転駆動する。そして、巻上機５は、メインシーブ５ａとメインロープ４との間に生じる摩擦力を利用してメインロープ４を電動で巻き上げる。乗場６は、乗りかご２が着床可能な各エレベータ停止階床に設けられる。各乗場６は、それぞれ乗場操作盤９等が設けられる。乗場操作盤９は、利用者による操作入力に応じていわゆる乗場呼び登録等を行う。  
【００１１】
また、エレベータ１は、乗りかご２の乗場６への乗降口１１Ａに設けられるかごドア装置１１と、各乗場６の乗りかご２への乗降口１２Ａに設けられるホールドア装置１２とを含んで構成される。ホールドア装置１２は、乗場６と昇降路７との間を開閉可能に仕切る。ホールドア装置１２は、通常は閉鎖状態にあり、乗場６側と乗りかご２が昇降移動する昇降路７側との間を遮っており、乗りかご２の着床時に、乗りかご２側のかごドア装置１１に連動して開閉される。  
【００１２】
制御装置１０は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは予め用意されたマップデータ、エレベータ１の仕様等の情報を記憶する。制御装置１０は、種々のセンサ、検出器やエレベータ１の各部と電気的に接続され、各部の動作を統括的に制御する。    
【００１３】
上記のように構成されるエレベータ１は、通常モードとして、利用者によりかご操作盤８、乗場操作盤９等を介して乗りかご２の呼び操作が行われた場合、下記のように動作する。すなわち、エレベータ１は、かご操作盤８、乗場操作盤９等から制御装置１０にこれに応じたかご呼び登録信号、乗場呼び登録信号が入力される。そして、エレベータ１は、制御装置１０がこのかご呼び登録信号、乗場呼び登録信号に応じて乗りかご２のかご呼び登録、あるいは、乗場呼び登録を行う。そして、制御装置１０は、かご呼び登録、乗場呼び登録、種々のセンサ、検出器からの出力、乗りかご２の現在の移動方向（昇降方向）等に基づいて、乗りかご２が合理的に移動しながらそれぞれの呼びに応答するように乗りかご２の着床順序を定める。そして、制御装置１０は、巻上機５を駆動制御し、乗りかご２を目的の階床へと移動させる。これにより、エレベータ１は、乗りかご２が昇降路７内を鉛直方向上下に昇降移動し、任意の目的階の乗場６に移動する。そして、エレベータ１は、乗りかご２が目的階の乗場６に着床し、所定の着床位置に着床したことが検出されると、その後、乗りかご２のかごドア装置１１、及び、当該階床の乗場６のホールドア装置１２を連動して開放する。これにより、乗場６で待機している利用者は、乗りかご２内に乗り込むことが可能となり、また、乗りかご２内の利用者は乗場６に降りることが可能となる。
【００１４】
図１、図２、図３に示す本実施形態に係る偏心軸ローラー調整治具１００は、上記のように構成されるエレベータ１のホールドア装置１２のホールドア１２ａの調整の際に用いられる。ここで、当該偏心軸ローラー調整治具１００が適用されるホールドア装置１２は、図２に示すように、ホールドア１２ａ、ハンガーレール１２ｂ、ホールシル１２ｃ、ハンガーボード１２ｄ、ハンガーローラー１２ｅ、エキセントリックローラー１２ｆ、偏心軸１２ｇ等を含んで構成される。
【００１５】
ホールドア１２ａは、乗降口１２Ａを開閉するための矩形状のパネル部材（ドアパネル）として形成される。ホールドア１２ａは、１枚で構成されてもよいし、複数枚で構成されてもよい。また、ホールドア１２ａは、片開き式であってもよいし、中央両開き式であってもよい。ここでは、ホールドア装置１２は、２枚のホールドア１２ａによって中央両開き式で構成される。ハンガーレール１２ｂは、各乗場６の乗降口１２Ａの鉛直方向上側でかつ昇降路７側に面するように設けられる。ハンガーレール１２ｂは、例えば、ヘッダーカバー内に収容されている。ホールドア装置１２は、このヘッダーカバー内に、例えば、ホールドア装置１２をかごドア装置１１と連動して開閉させるための種々の機構や、乗りかご２が所定の着床位置にある状態以外の状態でホールドア装置１２が開かないようにするためのインターロック機構等が収容されている。ハンガーレール１２ｂは、乗降口１２Ａの鉛直方向上側の端部に沿って水平方向に設けられる。ハンガーレール１２ｂは、ホールドア装置１２の開閉移動を案内する案内部材であり、このハンガーレール１２ｂに沿った方向、すなわち、水平方向がホールドア装置１２の開閉方向となる。言い換えれば、ハンガーレール１２ｂは、ホールドア装置１２の開閉方向に沿って設けられる。ハンガーレール１２ｂは、ホールドア装置１２の開閉に伴ってハンガーローラー１２ｅが転動する上側転動面１２ｈと、ホールドア装置１２の開閉に伴ってエキセントリックローラー１２ｆが転動する下側転動面１２ｉとを有する。上側転動面１２ｈは、ハンガーレール１２ｂの鉛直方向上側の面である。下側転動面１２ｉは、ハンガーレール１２ｂの鉛直方向下側の面である。ホールシル１２ｃは、各乗場６の乗降口１２Ａの鉛直方向下側でかつ昇降路７側に面するように設けられる。ホールシル１２ｃは、乗降口１２Ａの鉛直方向下側の端部に沿って水平方向に設けられる。ホールドア１２ａは、鉛直方向下端部がこのホールシル１２ｃに案内され当該ホールシル１２ｃに沿って開閉される。
【００１６】
ハンガーボード１２ｄは、ホールドア１２ａの上端面に締結される板状の部材である。ハンガーボード１２ｄは、各ホールドア１２ａに対してそれぞれ１つずつ、合計２つ設けられる。ハンガーボード１２ｄは、ハンガーローラー１２ｅ、エキセントリックローラー１２ｆをホールドア１２ａの鉛直方向上端部に支持する。ハンガーローラー１２ｅ、エキセントリックローラー１２ｆは、ともに円筒状の転動体として形成され、ハンガーボード１２ｄに自転可能に支持される。ハンガーローラー１２ｅとエキセントリックローラー１２ｆとは、鉛直方向に対してハンガーレール１２ｂを挟んで対向して対をなす。一対のハンガーローラー１２ｅとエキセントリックローラー１２ｆとは、各ハンガーボード１２ｄにそれぞれ２組ずつ設けられる。つまりここでは、ホールドア装置１２は、４つのハンガーローラー１２ｅと４つのエキセントリックローラー１２ｆとが設けられる。各ハンガーローラー１２ｅは、上側転動面１２ｈ上に載置されて転動可能であり、各エキセントリックローラー１２ｆは、下側転動面１２ｉに接触して転動可能である。偏心軸１２ｇは、各ハンガーローラー１２ｅ、及び、各エキセントリックローラー１２ｆにそれぞれ１つずつ、合計８つが設けられる。各ハンガーローラー１２ｅ、各エキセントリックローラー１２ｆは、各偏心軸１２ｇがハンガーボード１２ｄを貫通し、先端部に固定ナット１２ｊが締結されることでハンガーボード１２ｄに連結される。各ハンガーローラー１２ｅ、各エキセントリックローラー１２ｆは、中心軸線（回転軸線）が水平方向に沿いかつ開閉方向に対して直交するような位置関係でハンガーボード１２ｄに支持される。各ホールドア１２ａは、各ハンガーローラー１２ｅの外周面がハンガーレール１２ｂの鉛直方向上側の上側転動面１２ｈに接触するような位置関係で、全体がハンガーレール１２ｂに吊り下げられる構造となっている。つまり、各ホールドア１２ａは、各ハンガーボード１２ｄ、各ハンガーローラー１２ｅを介してハンガーレール１２ｂの上側転動面１２ｈ側に吊り下げられて状態となり、この状態で各ハンガーローラー１２ｅが上側転動面１２ｈ上を転動することで開閉される。各エキセントリックローラー１２ｆは、鉛直方向に対してハンガーレール１２ｂを挟んで各ハンガーローラー１２ｅと対向する。各エキセントリックローラー１２ｆは、各ハンガーローラー１２ｅとの間にハンガーレール１２ｂを挟持し、各ホールドア１２ａの開閉に伴って下側転動面１２ｉと接触しながら転動することで、各ホールドア１２ａの振れ等を抑制し円滑な開閉動作を実現することができる。
【００１７】
そして、本実施形態のホールドア装置１２は、各ハンガーローラー１２ｅの各偏心軸１２ｇを軸周りに回転させることで当該各ハンガーローラー１２ｅの鉛直方向の位置を調整することができる。各ハンガーローラー１２ｅは、例えば、各偏心軸１２ｇに一体回転可能に設けられたカム部材等の種々の機構の作用により、各偏心軸１２ｇを軸周りに回転させることで鉛直方向の位置を調整可能である。これにより、ホールドア装置１２は、各ハンガーボード１２ｄを介して各ハンガーローラー１２ｅに吊り下げられている各ホールドア１２ａを、各ハンガーボード１２ｄ、各ハンガーローラー１２ｅと共に鉛直方向に沿って移動させることができ、各ホールドア１２ａの鉛直方向の位置を調整することができる。また、本実施形態のホールドア装置１２は、各エキセントリックローラー１２ｆの各偏心軸１２ｇを軸周りに回転させることで当該各エキセントリックローラー１２ｆの鉛直方向の位置を調整することができる。各エキセントリックローラー１２ｆは、例えば、各偏心軸１２ｇに一体回転可能に設けられたカム部材等の種々の機構の作用により、各偏心軸１２ｇを軸周りに回転させることで鉛直方向の位置を調整可能である。これにより、ホールドア装置１２は、各エキセントリックローラー１２ｆとハンガーレール１２ｂの下側転動面１２ｉとの隙間の寸法を調整することができる。
【００１８】
そして、本実施形態の偏心軸ローラー調整治具１００は、図１、図２、図３に示すように、棒状に形成される本体部１０１と、棒状に形成される持ち手部１０２とを備え、本体部１０１と持ち手部１０２とが一体となって略Ｔ字型の治具を構成することで、ホールドア１２ａの鉛直方向位置の調整作業をより効率的に行うことができるようにしている。
【００１９】
具体的には、本体部１０１は、延在方向に直交する方向の断面形状が略長方形状の棒状に形成される。本体部１０１は、一方の端部に直線状先端部１０１ａを有し、他方の端部に持ち手部１０２と接続される基端部１０１ｂを有する。直線状先端部１０１ａは、先細りの形状となっており、先端面が直線形状、すなわち、−（マイナス）形状となっている。直線状先端部１０１ａは、各偏心軸１２ｇの端面に形成された直線溝１２ｋに嵌合可能な形状、大きさで形成される。基端部１０１ｂは、本体部１０１の直線状先端部１０１ａとは反対側の端部である。持ち手部１０２は、延在方向に直交する方向の断面形状が略円形状の棒状に形成される。持ち手部１０２は、中央部に本体部１０１の基端部１０１ｂが接続される。ここでは、偏心軸ローラー調整治具１００は、持ち手部１０２のほぼ中央位置に本体部１０１の基端部１０１ｂが接続される。本体部１０１と、持ち手部１０２とは、ほぼ直交する。偏心軸ローラー調整治具１００は、本体部１０１、持ち手部１０２が金属等で構成され、溶接等で接続され一体化されている。偏心軸ローラー調整治具１００は、本体部１０１と持ち手部１０２とが接続され一体化されることで、全体として略Ｔ字型をなす。本体部１０１は、例えば、１６０ｍｍ〜１８０ｍｍ程度、ここでは、１７０ｍｍ程度の長さに形成される。持ち手部１０２は、例えば、８０ｍｍ〜１００ｍｍ程度、ここでは、９０ｍｍ程度の長さに形成される。また、持ち手部１０２は、延在方向に直交する方向の断面の直径φが７．５ｍｍ〜１２．５ｍｍ程度、ここでは１０ｍｍ程度に形成される。
【００２０】
上記のように構成される偏心軸ローラー調整治具１００は、図３に示すように、本体部１０１の直線状先端部１０１ａが偏心軸１２ｇの端面の直線溝１２ｋに嵌合した状態で、作業員等が持ち手部１０２を把持して本体部１０１を軸周りに回転させることで偏心軸１２ｇを軸周りに回転させることができ、ハンガーローラー１２ｅ、エキセントリックローラー１２ｆの鉛直方向位置を調節することができる。
【００２１】
次に、図５のフローチャートを参照して、ドア位置調整方法について説明する。このドア位置調整方法は、上記で説明した偏心軸ローラー調整治具１００を用いてエレベータ１のホールドア１２ａの鉛直方向の位置を調整するものである。
【００２２】
まず、作業員は、乗り込み位置移動工程として、制御装置（制御盤）１０等を介して、上述の通常モードから保守点検モードに切り替えて、乗りかご２を保守点検乗り込み位置まで移動させる（ステップＳＴ１）。ここで、乗りかご２の保守点検乗り込み位置は、例えば、作業員が乗りかご２の天井上（以下、単に「かご上」という場合がある。）に乗り込むことができる位置である。
【００２３】
次に、作業員は、ホールドア開錠工程として、例えば、いずれかの階床のホールドア１２ａをアンロックキー等によって開錠し、乗りかご２の位置を確認する（ステップＳＴ２）。
【００２４】
次に、作業員は、作業準備工程として、例えば、乗りかご２の天井上に設けられたかご上安全スイッチ、点検スイッチ等を操作すると共に、自身に安全帯を取り付けた上で、かご上に乗り込む。そして、作業員は、例えば、保守点検時用の操作盤等を介して、ホールドア１２ａの鉛直方向位置の調整作業を行う対象の階床近傍に乗りかご２を移動させ、安全位置を確認し作業しやすい位置まで当該乗りかご２を移動させる。作業員は、乗りかご２を作業しやすい位置まで移動させたら、例えば、安全スイッチ等をセットし、ヘッダーカバーを取り外す(ステップＳＴ３）。
【００２５】
次に、作業員は、隙間測定工程として、鉛直方向位置の調整の対象となっているホールドア１２ａとホールシル１２ｃのシル溝との隙間を測定し、当該隙間が予め設定された適正な寸法でなければ実際に調整を開始する（ステップＳＴ４）。作業員は、当該隙間が適正な寸法であれば、調整の対象となっている次のホールドア１２ａの作業へ移行すればよい。
【００２６】
次に、作業員は、第１調整工程として、ホールドア１２ａのローラーであってホールドア１２ａのハンガーレール１２ｂの鉛直方向下側の面である下側転動面１２ｉに接触して転動可能であるエキセントリックローラー１２ｆの固定ナット１２ｊを緩め、偏心軸ローラー調整治具１００を用いて、当該エキセントリックローラー１２ｆの偏心軸１２ｇを軸周りに回転させ、当該エキセントリックローラー１２ｆと下側転動面１２ｉとの隙間が広くなるように当該エキセントリックローラー１２ｆの鉛直方向の位置を調整する（ステップＳＴ５）。この場合、作業員は、本体部１０１の直線状先端部１０１ａが偏心軸１２ｇの端面の直線溝１２ｋに嵌合した状態で、持ち手部１０２を把持して本体部１０１を軸周りに回転させることで偏心軸１２ｇを軸周りに回転させ、エキセントリックローラー１２ｆの鉛直方向位置を調節する。
【００２７】
次に、作業員は、第２調整工程として、第１調整工程（ステップＳＴ５）の後に、ホールドア１２ａのローラーであってホールドア１２ａのハンガーレール１２ｂの鉛直方向上側の面である上側転動面１２ｈに載置されて転動可能であるハンガーローラー１２ｅの固定ナット１２ｊを緩め、偏心軸ローラー調整治具１００を用いて、当該ハンガーローラー１２ｅの偏心軸１２ｇを軸周りに回転させ、当該ハンガーローラー１２ｅの鉛直方向の位置を調整することでホールドア１２ａの鉛直方向の位置を調整する（ステップＳＴ６）。この場合も、作業員は、第１調整工程（ステップＳＴ５）と同様に、本体部１０１の直線状先端部１０１ａが偏心軸１２ｇの端面の直線溝１２ｋに嵌合した状態で、持ち手部１０２を把持して本体部１０１を軸周りに回転させることで偏心軸１２ｇを軸周りに回転させ、ハンガーローラー１２ｅの鉛直方向位置を調節する。作業員は、ホールドア１２ａとホールシル１２ｃのシル溝との隙間が予め設定された適正な寸法となるまで、ハンガーローラー１２ｅの鉛直方向の位置を調整しホールドア１２ａの鉛直方向の位置を上下させ調整する。
【００２８】
次に、作業員は、第３調整工程として、第２調整工程（ステップＳＴ６）の後に、偏心軸ローラー調整治具１００を用いて、エキセントリックローラー１２ｆの偏心軸１２ｇを軸周りに回転させ、当該エキセントリックローラー１２ｆと下側転動面１２ｉとの隙間が狭くなるように当該エキセントリックローラー１２ｆの鉛直方向の位置を調整し（ステップＳＴ７）、このドア位置調整方法を終了する。
【００２９】
以上で説明した偏心軸ローラー調整治具１００によれば、エレベータ１のホールドア１２ａのローラーの偏心軸１２ｇを軸周りに回転させることで当該ローラーの鉛直方向の位置を調整しホールドア１２ａの鉛直方向の位置を調整する偏心軸ローラー調整治具であって、棒状に形成され、偏心軸１２ｇの端面に形成された直線溝１２ｋに嵌合する直線状先端部１０１ａを有する本体部１０１と、棒状に形成され、中央部に本体部１０１の直線状先端部１０１ａとは反対側の基端部１０１ｂが接続される持ち手部１０２とを備える。ここでは、本体部１０１と持ち手部１０２とは、直交し上記の寸法で構成されている。
【００３０】
以上で説明したドア位置調整方法によれば、エレベータ１のホールドア１２ａの鉛直方向の位置を調整するドア位置調整方法であって、上記の偏心軸ローラー調整治具１００を用いて、ホールドア１２ａのローラーであってホールドア１２ａのハンガーレール１２ｂの鉛直方向下側の面である下側転動面１２ｉに接触して転動可能であるエキセントリックローラー１２ｆの偏心軸１２ｇを軸周りに回転させ、当該エキセントリックローラー１２ｆと下側転動面１２ｉとの隙間が広くなるように当該エキセントリックローラー１２ｆの鉛直方向の位置を調整する第１調整工程（ステップＳＴ５）と、第１調整工程（ステップＳＴ５）の後に、上記偏心軸ローラー調整治具１００を用いて、ホールドア１２ａのローラーであってホールドア１２ａのハンガーレール１２ｂの鉛直方向上側の面である上側転動面１２ｈに載置されて転動可能であるハンガーローラー１２ｅの偏心軸１２ｇを軸周りに回転させ、当該ハンガーローラー１２ｅの鉛直方向の位置を調整することでホールドア１２ａの鉛直方向の位置を調整する第２調整工程（ステップＳＴ６）と、第２調整工程（ステップＳＴ６）の後に、上記偏心軸ローラー調整治具１００を用いて、エキセントリックローラー１２ｆの偏心軸１２ｇを軸周りに回転させ、当該エキセントリックローラー１２ｆと下側転動面１２ｉとの隙間が狭くなるように当該エキセントリックローラー１２ｆの鉛直方向の位置を調整する第３調整工程（ステップＳＴ７）とを含む。
【００３１】
したがって、以上で説明した偏心軸ローラー調整治具１００、ドア位置調整方法によれば、偏心軸１２ｇの直線溝１２ｋに嵌合する直線状先端部１０１ａが形成された本体部１０１に対して、偏心軸ローラー調整治具１００の持ち手部１０２が略Ｔ字型になっていることから、作業員は、偏心軸１２ｇを軸周りに回転させる際に、この持ち手部１０２を把持して当該持ち手部１０２に力（トルク）を作用させやすくすることができ、締め込みの際に力負けせずにスムーズにローラーの鉛直方向の位置を調整しホールドア１２ａの鉛直方向の位置を調整することができる。この結果、作業員は、効率的にホールドア１２ａとホールシル１２ｃのシル溝との隙間を適正な寸法に調節することができ、これにより、ホールドア１２ａの鉛直方向位置の調整作業を効率的に行うことができる。また、作業員は、調整作業を効率的に行うことができることから、例えば、同じ作業の繰り返しを抑制し作業時間を短縮することができる。
【００３２】
なお、参考例として、この偏心軸ローラー調整治具１００は、エスカレータの乗降板等の他用途の締め付けやビス等の増し締め等にも使用することができ、この場合、締め付け力を相対的に大きくし緩みにくくすることができる。
【００３３】
以上で説明した実施形態、変形例に係る偏心軸ローラー調整治具、ドア位置調整方法によれば、ホールドアの鉛直方向位置の調整作業を効率的に行うことができる。
【００３４】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３５】
１    エレベータ
１２    ホールドア装置
１２ａ    ホールドア
１２ｂ    ハンガーレール
１２ｃ    ホールシル
１２ｄ    ハンガーボード
１２ｅ    ハンガーローラー（ローラー）
１２ｆ    エキセントリックローラー（ローラー）
１２ｇ    偏心軸
１２ｈ    上側転動面
１２ｉ    下側転動面
１２ｊ    固定ナット
１２ｋ    直線溝
１００    偏心軸ローラー調整治具
１０１    本体部
１０１ａ    直線状先端部
１０１ｂ    基端部
１０２    持ち手部
【図１】
2015168547.tif 000003
【図２】
2015168547.tif 000004
【図３】
2015168547.tif 000005
【図４】
2015168547.tif 000006
【図５】
2015168547.tif 000007
【手続補正書】
【提出日】平成27年3月30日(2015.3.30)
【手続補正１】
【補正対象書類名】特許請求の範囲
【補正対象項目名】請求項１
【補正方法】変更
【補正の内容】
【請求項１】
エレベータのホールドアのローラーの偏心軸を軸周りに回転させることで当該ローラーの鉛直方向の位置を調整し前記ホールドアの鉛直方向の位置を調整する偏心軸ローラー調整治具であって、延在方向に直交する方向の断面形状が略長方形状に形成され、前記偏心軸の端面に形成された直線溝に嵌合する形状、大きさで形成された直線状先端部を有する本体部と、棒状に形成され、中央部に前記本体部の前記直線状先端部とは反対側の基端部が接続される持ち手部とを備えることを特徴とする、偏心軸ローラー調整治具。
【手続補正２】
【補正対象書類名】明細書
【補正対象項目名】０００５
【補正方法】変更
【補正の内容】
【０００５】
実施形態の偏心軸ローラー調整治具は、エレベータのホールドアのローラーの偏心軸を軸周りに回転させることで当該ローラーの鉛直方向の位置を調整し前記ホールドアの鉛直方向の位置を調整する偏心軸ローラー調整治具である。この偏心軸ローラー調整治具は、延在方向に直交する方向の断面形状が略長方形状に形成され、前記偏心軸の端面に形成された直線溝に嵌合する形状、大きさで形成された直線状先端部を有する本体部と、棒状に形成され、中央部に前記本体部の前記直線状先端部とは反対側の基端部が接続される持ち手部とを備えることを特徴とする。